(57)【特許請求の範囲】
【請求項１】
自身の外観の意匠性を満たすべく意匠面の一部に金属加飾部が設けられた非導電性材料からなるケースと、前記ケースの内部に設けられ自身がもつ固有の識別コードを通信対象に無線で送信する送信アンテナとを備え、前記通信対象との間で前記識別コードの照合が一致したことを条件として当該通信対象に対応する特定の機器を動作させる金属加飾型電子キーにおいて、
前記金属加飾部は、前記意匠面側から見て、前記意匠面の縁に沿って延びる環状に設けられるとともにその周方向において分断された開ループ形状を有して形成され、
前記送信アンテナは、前記意匠面側から見て、前記開ループの内側に全部が前記金属加飾部と重ならないように配置されたことを特徴とする金属加飾型電子キー。
【請求項２】
請求項１に記載の金属加飾型電子キーにおいて、
前記ケースは、扁平形状に形成され、
前記意匠面は、前記ケースの厚さ方向の外側面に設けられたことを特徴とする金属加飾型電子キー。
【発明の詳細な説明】
【技術分野】
【０００１】
本発明は、キー認証に際して自身が持つ固有の識別コードを無線通信で通信対象に送信してキーのコード照合を行う電子キーにおいて、高い意匠性を持つべく金属加飾された金属加飾型電子キーに関する。
【背景技術】
【０００２】
従来、例えば特許文献１に示されるように、車両や住宅等に設けられたロック装置との間で所定の無線通信を通じて識別コードの送受信を行うことにより、同ロック装置の施錠・解錠を行う電子キーが採用されている。この電子キーのケースには、回路基板が収容されている。回路基板には、ロック装置に対応する識別コードが記憶された制御回路と、ロック装置との間で無線通信を行うための送信アンテナとが実装されている。制御回路は、送信アンテナを通じて識別コードをロック装置に送信する。ロック装置は、電子キーの送信アンテナから送信された電波に含まれる識別コードが自身に記憶されている識別コードと一致するか否かを判断し、一致したことを条件として施錠・解錠を行う。
【０００３】
この種の電子キーにおいては、正常に車両や住宅等に設けられたロック装置との間で無線通信のやり取りができる無線通信性能の確保もさることながら、当該電子キーを好んで所持してもらうためにも、電子キーの外観の見栄えを確保するべく、電子キーのケース表面に飾り等を付けることで加飾し、電子キーに高い意匠性を持たせることが望まれている。加飾の一例としては、例えば高級感を持たせるために、金属製品に見られるような光輝意匠が施される場合がある。
【特許文献１】特開２００２−３２２８４１
【発明の開示】
【発明が解決しようとする課題】
【０００４】
しかしながら、光輝意匠の加飾に用いられる例えばアルミニウムや鉄等の金属には、無線通信で送受信される電波を遮蔽するという特性がある。このため、ケースに施された金属加飾によって送信アンテナから送信される電波が遮蔽されて当該送信アンテナのアンテナ効率が低下してしまい、これにより、無線通信を通じたロック装置の円滑な施錠・解錠ができなくなってしまう虞がある。
【０００５】
本発明は、こうした実情に鑑みてなされたものであって、その目的は、ケースに金属加飾が施されることに起因するアンテナ効率の低下を極力回避することが可能な金属加飾型電子キーを提供することにある。
【課題を解決するための手段】
【０００６】
請求項１に記載の発明は、自身の外観の意匠性を満たすべく意匠面の一部に金属加飾部が設けられた非導電性材料からなるケースと、前記ケースの内部に設けられ自身がもつ固有の識別コードを通信対象に無線で送信する送信アンテナとを備え、前記通信対象との間で前記識別コードの照合が一致したことを条件として当該通信対象に対応する特定の機器を動作させる金属加飾型電子キーにおいて、前記金属加飾部は、前記意匠面側から見て、前記意匠面の縁に沿って延びる環状に設けられるとともにその周方向において分断された開ループ形状を有して形成され、前記送信アンテナは、前記意匠面側から見て、前記開ループの内側に全部が前記金属加飾部と重ならないように配置されたことをその要旨とする。
【０００７】
送信アンテナにおいて金属加飾部に重ならないように配置された部位から送信される電波は、金属加飾部の影響を受け難い。このため、本発明のように、送信アンテナの全部が金属加飾部と重ならないように配置することにより、金属加飾部を設けることによるアンテナ効率の低下を極力回避することができる。
また、例えば仮に、金属加飾部が意匠面側から見て、意匠面の縁に沿って一続きに延びる環状の部材形状、即ち意匠面側から見て閉ループを成す形状をとる場合、無線通信を行う際に送信アンテナから送信される電波を金属加飾部が受けると、金属加飾部に渦電流が流れ、該渦電流による磁束によって送信アンテナから送信される電波が打ち消され、アンテナ効率が低下してしまう。この点、本発明によれば、金属加飾部は、その周方向において分断された開ループ形状を有して形成されるため、当該金属加飾部における渦電流の発生が抑制される。よって、金属加飾部を設けることによるアンテナ効率の低下を極力回避することができる。
【００１０】
請求項２に記載の発明は、請求項１に記載の金属加飾型電子キーにおいて、前記ケースは、扁平形状に形成され、前記意匠面は、前記ケースの厚さ方向の外側面に設けられたことをその要旨とする。
本発明によれば、ケースは扁平形状に形成されているため、ケースの厚さ方向の外側面は、ケースの扁平方向の外側面よりも大きくなっている。従って、意匠面をケースの厚さ方向の外側面に設けることにより、送信アンテナを、金属加飾部が設けられる意匠面側から見て、全部が金属加飾部と重ならない位置に配置し易くなる。よって、金属加飾部を設けることによるアンテナ効率の低下を回避し易くすることができる。
【発明の効果】
【００１１】
本発明によれば、ケースに金属加飾が施されることに起因するアンテナ効率の低下を極力回避することが可能な金属加飾型電子キーを提供することができる。
【発明を実施するための最良の形態】
【００１２】
以下、本発明を、車両の電子キーシステムにおいて、ドア錠の開閉に使用される電子キーに具体化した一実施の形態を図面に従って説明する。
＜電子キーシステムの概要＞
図１に示すように、電子キーシステム１は、金属加飾型電子キーとしての携帯機２と、車両に搭載された通信対象としての施解錠制御装置３とを備えている。ユーザが携帯機２を所持して車両の所定領域に接近すると、携帯機２は施解錠制御装置３から送信されるリクエスト信号Ｓｒを受信する。このリクエスト信号ＳｒはＩＤコードの送信を携帯機２に要求する旨の信号である。携帯機２は前記リクエスト信号Ｓｒを受信すると、予め記録された自身のＩＤコードを含むＩＤ信号Ｓｉを送信する。施解錠制御装置３は、携帯機２から送信されてきたＩＤ信号Ｓｉを受信すると、このＩＤ信号Ｓｉに含まれる携帯機２側のＩＤコードと予め記憶された車両側のＩＤコードとを照合し、両ＩＤコードが一致したことを条件としてドア錠を解錠する。一方、ユーザが携帯機２を所持して車両から離間して前記所定領域外に移動すると、施解錠制御装置３は、携帯機２から送信されるＩＤ信号Ｓｉを受信不能となる。施解錠制御装置３は携帯機側のＩＤ信号Ｓｉを受信不能になったことを条件として車両のドア錠を施錠する。このように、ユーザが車両に触れることなくドア錠の施解錠が行われる。
【００１３】
＜携帯機＞
図２に示すように、携帯機２のケース４は、樹脂等の非導電性材料からなり、平面視（図２中、上から見た状態）において長方形を成す扁平形状に形成されている。図３に示すように、ケース４は、それぞれ開口部を有する箱体状に形成されたアッパーケース５とロアケース６とから成り、これらの開口側を突き合わせた状態で組み付けた際にできる内部の収納空間４ａには、回路基板７が収納されている。回路基板７には、車両（正確には、施解錠制御装置３）との間で所定の無線通信等を行うための各種の電子部品が実装されている。
【００１４】
アッパーケース５の表面５ａの縁部には、段部５ｂが環状に凹設されている。段部５ｂには、携帯機２に高級感、即ち、貴金属製品に見られるような光輝意匠を持たせるためのアッパー側加飾金属８が取り付けられている。アッパー側加飾金属８は、例えばアルミニウムや鉄等の金属材料から形成されており、その表面には光輝性を醸し出すためのメッキが施されている。アッパー側加飾金属８は、帯状の板がアッパーケース５の周縁に沿って延びる環状に設けられるとともにその周方向において分断された開ループ形状を有して形成されている。アッパー側加飾金属８は、アッパーケース５の段部５ｂに取り付けられることにより、中央部５ｃと面一となるように形成されている。
【００１５】
アッパー側加飾金属８には、アッパー側加飾金属８を複数（本例は２つ）の金属材に分断する長細い形状のスリット９ａ，９ｂが複数箇所（本例は２箇所）に形成されている。スリット９ａ，９ｂは、アッパー側加飾金属８の４辺のうち長さの短い第１短辺８ａ（図３中、手前側の辺）の中央部分と、該第１短辺８ａに平行な第２短辺８ｂ（図３中、奥側の辺）中央部分とに形成されている。
【００１６】
また、アッパーケース５の表面５ａの中央部５ｃには、携帯機２でのボタン操作で車両のドア錠を施錠する際に操作するロックスイッチ４ｂと、同じく携帯機２でのボタン操作で車両のドア錠を解錠する際に操作するアンロックスイッチ４ｃとが設けられている。
【００１７】
図３に示すように、ロアケース６の表面６ａの縁部には、アッパーケース５と同様、段部６ｂが環状に凹設されており、該段部６ｂには、ロア側加飾金属１０が取り付けられている。ロア側加飾金属１０は、前記アッパー側加飾金属８と同様、例えばアルミニウムや鉄等の金属材料から形成されており、その表面には光輝性を醸し出すためのメッキが施されている。ロア側加飾金属１０は、帯状の板がロアケース６の周縁に沿って延びる環状に設けられるとともにその周方向において分断された開ループ形状を有して形成されている。ロア側加飾金属１０は、ロアケース６の段部６ｂに取り付けられることにより、中央部６ｃ（図４（ｂ）参照）と面一となるように形成されている。
【００１８】
ロア側加飾金属１０には、前記アッパー側加飾金属８と同様、ロア側加飾金属１０を複数（本例は２つ）の金属材に分断する長細い形状のスリット９ｃ，９ｄが複数箇所（本例は２箇所）に形成されている。スリット９ｃ，９ｄは、ロア側加飾金属１０の４辺のうち長さの短い第１短辺１０ａ（図３中、手前側の辺）の中央部分と、該第１短辺１０ａに平行な第２短辺１０ｂ（図３中、奥側の辺）中央部分とに形成されている。アッパー側加飾金属８及びロア側加飾金属１０は、それらの表面５ａ，６ａ側から見て完全に重なるように配置されている。なお、アッパー側加飾金属８及びロア側加飾金属１０がケース４の金属加飾部に相当する。本実施形態の携帯機２は、アッパー側加飾金属（以下、加飾金属という）８が設けられた前記アッパーケース５の表面５ａと、同じくロア側加飾金属（以下、加飾金属という）１０が設けられたロアケース６の表面６ａとが意匠面とされる。
【００１９】
図３に示すように、回路基板７は、長方形の平板状に形成されている。回路基板７のアッパーケース５側の面７ａには、送信アンテナ１１、受信回路（図示略）、制御回路（図示略）、送信回路（図示略）が実装されており、回路基板７のロアケース６側の面７ｂには、受信アンテナ（図示略）及び電源回路（図示略）が実装されている。前記受信回路は受信アンテナを介して受信された前記リクエスト信号Ｓｒ（図１参照）を復調し、その復調したリクエスト信号Ｓｒを制御回路へ送る。前記制御回路は前記復調されたリクエスト信号Ｓｒに対して応答するために予め記憶された自身のＩＤコードを含むＩＤ信号Ｓｉ（図１参照）を送信回路に送る。送信回路は前記ＩＤ信号を変調して送信アンテナ１１を介して送信する。また、前記制御回路は、ロックスイッチ４ｂが押し操作された事を検出すると、自身のＩＤコードと、解錠状態にある車両のドア錠を施錠状態にする旨の施錠要求とを乗せた施錠要求信号Ｓａ（図１参照）を送信回路に送り、送信アンテナ１１を介して送信する。また、制御回路は、アンロックスイッチ４ｃが押し操作された事を検出すると、自身固有のＩＤコードと、施錠状態にある車両のドア錠を解錠状態にする旨の解錠要求とを乗せた解錠要求信号Ｓｂ（図１参照）を送信回路に送り、送信アンテナ１１を介して送信する。
【００２０】
図４（ａ）及び図４（ｂ）に示すように、送信アンテナ１１は、回路基板７に対して直に金属板をアンテナ線（アンテナパターン）として印刷形成することで成るパターンアンテナで形成されている。送信アンテナ１１は、回路基板７の長手方向一端側（図４（ａ）及び図４（ｂ）中、下端側）に設けられている。前記回路基板７は、ケース４に収容された状態で、ケース４（アッパケース５及びロアケース６）の表面５ａ，６ａ側から見て、送信アンテナ１１の全部がアッパー側加飾金属８及びロア側加飾金属１０と重ならないように配置される。なお、前述したように、ケース４は扁平形状に形成されているため、ケース４の厚さ方向の外側面であるケース４（アッパケース５及びロアケース６）の表面５ａ，６ａは、ケース４の扁平方向の外側面４ｄよりも大きくなっている。このため、送信アンテナ１１を、ケース４の表面５ａ，６ａ側から見て、全部が加飾金属８，１０と重ならない位置に配置し易くなっている。
【００２１】
ところで、金属材料から形成された加飾金属８，１０が、例えば仮にケース４の表面５ａ，６ａの縁に沿って一続きとなった部材形状、即ちケース４の表面５ａ，６ａ側から見て閉ループを成す形状をとる場合、携帯機２と車両との間の無線通信を行う際に送信アンテナ１１から送信された電波を加飾金属８，１０が受けると、加飾金属８，１０に渦電流（図４（ａ）参照）が流れる。加飾金属８，１０に渦電流が流れると、該渦電流による磁束によって送信アンテナ１１から送信される電波が打ち消され、アンテナ効率が低下してしまい、携帯機２と車両との間の無線通信に悪影響を及ぼすことになり、これは無線通信性能確保の面から好ましくない。
【００２２】
そこで、加飾金属８，１０にスリット９ａ〜９ｄを設けて、加飾金属８，１０をケース４の表面５ａ，６ａの縁に沿った方向において分断することにより、加飾金属８，１０を、部材として一続きとならない分断形状、即ち開ループ形状としている。このような開ループ形状をとる加飾金属８，１０は、仮に送信アンテナ１１から送信された電波を受ける状況となっても自身に渦電流が発生し難くなる特性をもつ。従って、携帯機２の意匠性を確保すべく加飾金属８，１０によって携帯機２に金属加飾を施しても、加飾金属８，１０にスリット９ａ〜９ｄを形成すれば、加飾金属８，１０での渦電流の発生が抑制されて、携帯機２の充分な無線通信性能が確保される。
【００２３】
ところで、加飾金属８，１０を構成する金属材料には、無線通信で送受信される電波を遮蔽するという特性がある。このため、上述したように、加飾金属８，１０にスリット９ａ〜９ｄを設けた場合でも、送信アンテナ１１から送信された電波が加飾金属８，１０に遮蔽され、アンテナ効率が低下してしまう場合がある。そこで、本実施の形態では、送信アンテナ１１の全部がアッパー側加飾金属８及びロア側加飾金属１０と重ならないように送信アンテナ１１を配置することにより、加飾金属８，１０の影響を受け難くすることで、携帯機２のアンテナ効率の低下を回避している。
【００２４】
次に、図５を参照して、ケース４の表面５ａ，６ａ側から見た送信アンテナ１１と加飾金属８，１０との重なり面積の違いによる携帯機２の利得の変化量について考察する。同図５は、本実施の形態のケース４の表面５ａ，６ａに加飾金属８，１０が設けられた携帯機２について、ケース４の表面５ａ，６ａ側から見た送信アンテナ１１と加飾金属８，１０との重なり面積に対する携帯機２の利得の変化量を、発明者がシミュレーションした結果をグラフとして示したものである。同図５のグラフにおいて、横軸は、金属加飾を施した携帯機２のケース４の表面５ａ，６ａ側から見た送信アンテナ１１と加飾金属８，１０との重なり面積を示し、縦軸は、携帯機２の利得の変化量を示す。なお、携帯機２の利得の変化量は、回路基板７単体の利得を基準にした、本実施の形態の携帯機２の利得である。図５においては、送信アンテナ１１を、図６（ａ）〜（ｄ）にそれぞれ示すように、加飾金属８，１０との重なり面積が０パーセント、１７パーセント、３５パーセント、５０パーセントとなるように配置した場合の携帯機２の利得の変化量を◇印で示している。なお、図６では、前記ロックスイッチ４ｂ及びアンロックスイッチ４ｃを省略している。
【００２５】
同図５に示されるように、本実施の形態の携帯機２において、送信アンテナ１１と加飾金属８，１０との重なり面積が増加するほど携帯機２の利得の変化量が小さくなる。そして、送信アンテナ１１と加飾金属８，１０との重なり面積が０パーセントから約４５パーセントの範囲において、携帯機２の利得は、＋（プラス）方向へ変化し、回路基板７単体の利得よりも大きくなる。また、送信アンテナ１１と加飾金属８，１０との重なり面積が約４５パーセント以上の範囲において、携帯機２の利得は、−（マイナス）方向へ変化し、回路基板７単体の利得よりも小さくなる。従って、送信アンテナ１１を、加飾金属８，１０との重なりが４５パーセント以下となるように配置すれば、送信アンテナ１１のアンテナ効率が確保される。
【００２６】
また、送信アンテナ１１と加飾金属８，１０との重なり面積を１７パーセントから３５パーセントに変化させた場合の利得の変化量の変化と、重なり面積を３５パーセントから５０パーセントに変化させた場合の利得の変化量の変化とを比較すると、重なり面積を３５パーセントから５０パーセントに変化させた場合の方が大きく減少する。従って、送信アンテナ１１を、加飾金属８，１０との重なり面積が３５パーセント以下となるように配置すれば、送信アンテナ１１のアンテナ効率がより確実に確保される。
【００２７】
以上のことから、送信アンテナ１１の全部が加飾金属８，１０と重ならないように配置することにより、加飾金属８，１０を設けることによるアンテナ効率の低下を極力回避することができる。また、送信アンテナ１１を加飾金属８，１０と重ねて配置せざるを得ない場合は、送信アンテナ１１と加飾金属との重なり面積が４５パーセント以下となるように、より好ましくは、３５パーセント以下となるように配置することが望ましい。このようにすれば、回路基板７単体の場合の送信アンテナ１１のアンテナ効率を確保することができる。
【００２８】
次に、上記実施の形態の作用効果を以下に記載する。
（１）携帯機２のケース４内に収容される送信アンテナ１１は、ケース４の表面５ａ，６ａ側から見て、全部が加飾金属８，１０と重ならないように配置される。ここで、送信アンテナ１１において加飾金属８，１０に重ならないように配置された部位から送信される電波は、加飾金属８，１０の影響を受け難い。このため、本実施の形態のように、送信アンテナ１１の全部が加飾金属８，１０と重ならないように配置することにより、加飾金属８，１０を設けることによるアンテナ効率の低下を極力回避することができる。なお、本実施の形態では、送信アンテナ１１と加飾金属８，１０との重なり面積が４５パーセント以下となるように、より好ましくは、３５パーセント以下となるように配置すれば、加飾金属８，１０を設けることによるアンテナ効率の低下を極力回避することができる。このため、携帯機２の設計（ケース４内における送信アンテナ１１の配置や加飾金属８，１０の配置等）の自由度を向上させることができる。
【００２９】
（２）加飾金属８，１０は、ケース４の表面５ａ，６ａの周縁に沿って延びる環状に設けられるとともにその周方向において分断された開ループ形状を有して形成されている。例えば仮に、加飾金属８，１０が、ケース４の表面５ａ，６ａ側から見て、ケース４の表面５ａ，６ａの縁に沿って一続きに延びる環状の部材形状、即ちケース４の表面５ａ，６ａ側から見て閉ループを成す形状をとる場合、無線通信を行う際に送信アンテナ１１から送信される電波を加飾金属８，１０が受けると、加飾金属８，１０に渦電流が流れ、該渦電流による磁束によって送信アンテナ１１から送信される電波が打ち消され、アンテナ効率が低下してしまう。この点、本実施の形態によれば、加飾金属８，１０は、その周方向において分断された開ループ形状を有して形成されるため、当該加飾金属８，１０における渦電流の発生が抑制される。よって、加飾金属８，１０を設けることによるアンテナ効率の低下を極力回避することができる。
【００３０】
（３）ケース４は、扁平形状に形成され、ケース４の厚さ方向の外側面（表面５ａ，６ａ）が意匠面となっている。ケース４は扁平形状に形成されているため、ケース４の厚さ方向の外側面（表面５ａ，６ａ）は、ケース４の扁平方向の外側面４ｄよりも大きくなっている。従って、ケース４の厚さ方向の外側面（表面５ａ，６ａ）を意匠面とすることにより、送信アンテナ１１を、加飾金属８，１０が設けられるケース４の表面５ａ，６ａ側から見て、一部若しくは全部が加飾金属８，１０と重ならない位置に配置し易くなる。よって、加飾金属８，１０を設けることによるアンテナ効率の低下を回避し易くすることができる。
【００３１】
尚、本実施の形態は、以下のように変更してもよい。
・上記実施の形態では、ケース４の表面５ａ，６ａに当該ケース４の周縁に沿って略環形状を成すように形成した加飾金属８，１０を設けたがこのような態様に限定されない。例えば、図７（ａ）〜（ｄ）に示すように、ケース１４の表面１４ａに当該ケース１４の両側縁に沿って直線状をなすように、言い換えれば、スリット１９ａ，１９ｂが最大となるように形成した加飾金属１８を設けてもよい。ここで、図５を参照して、ケース１４の表面１４ａ側から見た送信アンテナ１１と加飾金属１８との重なり面積の違いによる、ケース１４の両側縁に沿って直線状をなすように形成した加飾金属１８が設けられた携帯機１２の利得の変化量について考察する。なお、図５においては、送信アンテナ１１を、図７（ａ）〜（ｄ）にそれぞれ示すように、加飾金属１８との重なり面積が０パーセント、１５パーセント、３０パーセント、５０パーセントとなるように配置した場合の携帯機１２の利得の変化量を◆印で示している。
【００３２】
同図５に示されるように、加飾金属１８が設けられた携帯機１２において、送信アンテナ１１と加飾金属１８との重なり面積が増加するほど携帯機１２の利得の変化量が小さくなる。そして、送信アンテナ１１と加飾金属１８との重なり面積が０パーセントから約３５パーセントの範囲において、携帯機１２の利得は、＋（プラス）方向へ変化し、回路基板７単体の利得よりも大きくなる。また、送信アンテナ１１と加飾金属１８との重なり面積が約３５パーセント以上の範囲において、携帯機２の利得は、−（マイナス）方向へ変化し、回路基板７単体の利得よりも小さくなる。従って、送信アンテナ１１を、加飾金属１８との重なりが３５パーセント以下となるように配置すれば、送信アンテナ１１のアンテナ効率が確保される。
【００３３】
また、送信アンテナ１１と加飾金属１８との重なり面積を１５パーセントから３０パーセントに変化させた場合の利得の変化量の変化と、重なり面積を３０パーセントから５０パーセントに変化させた場合の利得の変化量の変化とを比較すると、重なり面積を３０パーセントから５０パーセントに変化させた場合の方が大きく減少する。従って、送信アンテナ１１を、加飾金属１８との重なり面積が３０パーセント以下となるように配置すれば、送信アンテナ１１のアンテナ効率がより確実に確保される。
【００３４】
以上のことから、送信アンテナ１１の全部が加飾金属１８と重ならないように配置することにより、加飾金属１８を設けることによるアンテナ効率の低下を極力回避することができる。また、送信アンテナ１１を加飾金属１８と重ねて配置せざるを得ない場合は、送信アンテナ１１と加飾金属との重なり面積が３５パーセント以下となるように、より好ましくは、３０パーセント以下となるように配置することが望ましい。このようにすれば、携帯機１２においても、回路基板７単体の場合の送信アンテナ１１のアンテナ効率を確保することができる。
【００３５】
・上記実施の形態では、加飾金属８，１０を、スリット９ａ〜９ｄによって２つの金属材に分断したが、スリットをそれぞれ３つ以上設けて加飾金属を３つ以上に分断してもよい。
【００３６】
・上記実施の形態では、ケース４の表面５ａ，６ａに帯状の加飾金属８，１０を設けたが、加飾金属８，１０の形状は、このような態様に限定されず、例えば三角形や円形等に変更可能である。
【００３７】
・上記実施の形態では、ケース４を、平面視において長方形を成す扁平形状に形成したが、このような態様に限定されず、例えば平面視において三角形や円形を成すように形成してもよい。また、上記実施の形態では、ケース４を、扁平形状に形成したが、例えばケースを立方体状に形成してもよい。
【００３８】
・上記実施の形態では、ケース４の厚さ方向の外側面を意匠面としたが、ケース４の扁平方向の外側面４ｄを意匠面としてもよい。また、上記実施の形態では、ケース４のアッパーケース５及びロアケース６の表面５ａ，６ａに加飾金属８，１０を設けたが、何れか一方のみに加飾金属を設けてもよい。
【００３９】
・上記実施の形態では、携帯機２にロックスイッチ４ｂ及びアンロックスイッチ４ｃを設け、これらの操作によりドアロックを施解錠可能としたが、省略してもよい。
・携帯機２に、トランスポンダを搭載し、このトランスポンダと施解錠制御装置３との間でもＩＤ照合を行うようにしてもよい。
【００４０】
・上記実施の形態では、携帯機２と施解錠制御装置３との間の無線通信によって、対応する機器としての車両のドア錠の施解錠が行われるようにしたが、携帯機２とエンジン制御装置との間の無線通信によって、対応する機器としてのエンジンの始動が許可されるようにしてもよい。なお、この場合、エンジン制御装置が本発明の通信対象に相当する。
【００４１】
・上記実施の形態では、車両の電子キーシステム１において、ドア錠の開閉に使用される電子キーに具体化したが、住宅等の電子キーシステムに具体化してもよい。
次に、前記実施形態より把握できる技術的思想について以下に記載する。
【００４２】
（イ）金属加飾型電子キーにおいて、前記送信アンテナは、前記意匠面側から見て、前記金属加飾部との重なり面積が３５パーセント以下となるように配置されたこと。
【００４３】
送信アンテナをケースに収容する際、金属加飾部の形状や大きさ等により、ケースの意匠面から見て、送信アンテナを金属加飾部と重ねて配置せざるを得ない場合がある。このような場合、送信アンテナを、意匠面側から見て、金属加飾部との重なり面積が３５パーセント以下となるように配置すれば、送信アンテナのアンテナ効率を確保することができる。このため、本発明のように、送信アンテナを、意匠面側から見て、金属加飾部との重なり面積が３５パーセント以下となるように配置することで、金属加飾部を設けることによるアンテナ効率の低下を回避することができる。
【００４４】
（ロ）金属加飾型電子キーにおいて、前記送信アンテナは、前記意匠面側から見て、前記金属加飾部との重なり面積が３０パーセント以下となるように配置されたこと。
【００４５】
送信アンテナをケースに収容する際、金属加飾部の形状や大きさ等により、ケースの意匠面から見て、送信アンテナを金属加飾部と重ねて配置せざるを得ない場合がある。このような場合、送信アンテナを、意匠面側から見て、金属加飾部との重なり面積が３０パーセント以下となるように配置すれば、送信アンテナのアンテナ効率をより確実に確保することができる。このため、本発明のように、送信アンテナを、意匠面側から見て、金属加飾部との重なり面積が３０パーセント以下となるように配置することで、金属加飾部を設けることによるアンテナ効率の低下を回避することができる。
【図面の簡単な説明】
【００４６】
【図１】車両の電子キーシステムの概略構成図。
【図２】携帯機の外観形状を示す斜視図。
【図３】携帯機のケース構造を示す斜視図。
【図４】（ａ）携帯機を表側から見た平面図、（ｂ）携帯機を裏側から見た平面図。
【図５】本実施の形態の携帯機における送信アンテナと加飾金属との重なり面積と、携帯機の利得の変化量との関係について、発明者によるシミュレーション結果を例示するグラフ。
【図６】（ａ）〜（ｄ）本実施の形態の携帯機における送信アンテナと加飾金属との重なり面積を説明するための平面図。
【図７】（ａ）〜（ｄ）別例の携帯機における送信アンテナと加飾金属との重なり面積を説明するための平面図。
【符号の説明】
【００４７】
２…金属加飾型電子キーとしての携帯機、３…通信対象としての施解錠制御装置、４，１４…ケース、５ａ，６ａ…意匠面としての表面、８，１０，１８…ケースの意匠面に設けられる金属加飾部としての加飾金属、１１…送信アンテナ。
【図１】
0004980848.tif 000002
【図２】
0004980848.tif 000003
【図３】
0004980848.tif 000004
【図４】
0004980848.tif 000005
【図５】
0004980848.tif 000006
【図６】
0004980848.tif 000007
【図７】
0004980848.tif 000008